(57)【特許請求の範囲】
【請求項１】
被写体の光学画像を電気信号に変換して撮影画像を取得する画像取得手段を備えた撮影装置において、
前記撮影画像内のピント調節対象位置にある被写体に対して焦点を合わせてピント調節を行うピント調節手段と、
前記画像取得手段で取得された撮影画像を、前記ピント調節手段でピント調節されるピント位置と共に表示画面上でプレビュー表示するプレビュー表示手段と、
前記撮影画像内で注目すべき注目被写体の特徴情報を記憶する特徴記憶手段と、
前記画像取得手段により順次取得される撮影画像をプレビュー表示する際は、順次取得される撮影画像内において前記特徴記憶手段に記憶された注目被写体の特徴情報を有する被写体の位置を特定する特定手段と、
前記特定手段で特定される前記被写体の位置を、前記プレビュー表示された撮影画像内において前記ピント位置の表示とは区別して識別可能に表示制御する表示制御手段と、
を備えたことを特徴とする撮影装置。
【請求項２】
前記プレビュー表示手段でプレビュー表示される撮影画像内において注目すべき注目被写体が任意に指定された際は、その指定された注目被写体の特徴情報を抽出し、前記特徴記憶手段に記憶させる記憶制御手段と、
を更に備えたことを特徴とする請求項１に記載の撮影装置。
【請求項３】
前記表示制御手段は、前記特定手段で特定された被写体の位置にある画像を拡大表示する、
ことを特徴とする請求項１又は２に記載の撮影装置。
【請求項４】
前記表示制御手段は、前記特定手段で特定された被写体が複数ある場合には、その各被写体の位置を前記ピント位置の表示とは区別して識別可能に表示制御する、
ことを特徴とする請求項１又は２に記載の撮影装置。
【請求項５】
前記表示制御手段は、前記特定手段で特定された被写体が複数ある場合には、順次操作される確認操作により、その各被写体の位置にある画像を拡大表示する、
ことを特徴とする請求項１又は２に記載の撮影装置。
【請求項６】
被写体の光学画像を電気信号に変換して撮影画像を取得する画像取得手段を備えた撮影装置のコンピュータを制御するためのプログラムであって、
前記コンピュータを、
前記撮影画像内のピント調節対象位置にある被写体に対して焦点を合わせてピント調節を行うピント調節手段、
前記画像取得手段で取得された撮影画像を、前記ピント調節手段でピント調節されたピント位置と共に表示画面上でプレビュー表示するプレビュー表示手段、
前記撮影画像内で注目すべき注目被写体の特徴情報を記憶する特徴記憶手段、
前記画像取得手段により順次取得される撮影画像をプレビュー表示する際は、順次取得される撮影画像内において前記特徴記憶手段に記憶された注目被写体の特徴情報を有する被写体の位置を特定する特定手段、
前記特定手段で特定される前記被写体の位置を、前記プレビュー表示された撮影画像内において前記ピント位置の表示とは区別して識別可能に表示制御する表示制御手段、
として機能させるようにしたコンピュータ読み取り可能なプログラム。
【発明の詳細な説明】
【技術分野】
【０００１】
本発明は、被写体の光学画像を電気信号に変換して撮影画像を取得する画像取得手段を備えた撮影装置及びプログラムに関する。
【背景技術】
【０００２】
従来、撮影者が撮影対象シーンに含まれる注目する被写体の画質を確認するためには、撮影後に再生モードへ移行し、拡大エリアを指定して、画像を拡大表示するといった手順を踏まなければならず、撮影前後に注目する被写体部分の画像を簡単に確認することができなかった。
【０００３】
このような問題を解決するものとして、例えば、特許文献１には、撮影時に撮影者がピント調節の対象として設定したフォーカスエリアの画像を拡大表示する機能を備えた撮影装置が記載されている。
【特許文献１】特開２００４−２４２０１１号公報
【発明の開示】
【発明が解決しようとする課題】
【０００４】
しかしながら、上述の特許文献１ においては、フォーカスエリアの画像を拡大表示するのみであるので、撮影者がピント調節の対象としたい被写体をフォーカスエリアに設定し、ピント調節を行った後、撮影者が構図を変更した場合等には、フォーカスエリアからピント調節の対象とした被写体がはずれることとなるので、当該被写体の写った部分が何処にあるのか、またその画質の状態がどうなのかを容易に確認することができなかった。
【０００５】
本発明の課題は、現在のピント位置とは異なる位置にある注目被写体の画像の撮像状態を容易に確認可能とすることである。
【課題を解決するための手段】
【０００６】
上記課題を解決するため、請求項１に記載の発明は、被写体の光学画像を電気信号に変換して撮影画像を取得する画像取得手段を備えた撮影装置において、前記撮影画像内のピント調節対象位置にある被写体に対して焦点を合わせてピント調節を行うピント調節手段と、前記画像取得手段で取得された撮影画像を、前記ピント調節手段でピント調節されるピント位置と共に表示画面上でプレビュー表示するプレビュー表示手段と、前記撮影画像内で注目すべき注目被写体の特徴情報を記憶する特徴記憶手段と、前記画像取得手段により順次取得される撮影画像をプレビュー表示する際は、順次取得される撮影画像内において前記特徴記憶手段に記憶された注目被写体の特徴情報を有する被写体の位置を特定する特定手段と、前記特定手段で特定される前記被写体の位置を、前記プレビュー表示された撮影画像内において前記ピント位置の表示とは区別して識別可能に表示制御する表示制御手段と、を備えたことを特徴としている。
【発明の効果】
【００１２】
本発明によれば、現在のピント位置とは異なる位置にある注目被写体の画像の撮像状態を容易に確認することが可能となる。
【発明を実施するための最良の形態】
【００１６】
（実施形態１）
以下、本発明の実施形態１におけるデジタルカメラ１０について詳細に説明する。
まず、構成を説明する。
図１は、デジタルカメラ１０の機能的構成を示すブロック図である。図１に示すように、デジタルカメラ１０は、ＣＰＵ（Central Processing Unit）１１、入力装置１２、ＲＡＭ（Random Access Memory）１３、伝送制御部１４、表示装置１５、撮像装置１６、記録装置１７等を備えて構成されており、各部及び各装置はバス１８により接続されている。
【００１７】
ＣＰＵ１１は、記録装置１７に記憶されているシステムプログラムを読み出し、ＲＡＭ１３内に形成されたワークエリアに展開し、該システムプログラムに従って各部を制御する。また、ＣＰＵ１１は、記録装置１７に記憶されているメイン処理プログラム、撮影モード処理プログラムを始めとする各種処理プログラムを読み出してワークエリアに展開し、その展開されたプログラムに従って、後述するメイン処理（図３参照）、撮影モード処理（図４参照）を始めとする各種処理を実行する。
【００１８】
入力装置１２は、電源キー、シャッターキー、表示装置１５の表示画面上におけるカーソル位置の移動のために表示画面上の上下左右の各方向を指示するための十字キー、この十字キーの中央部に配置され、その時点で選択されている内容を指示設定する決定キー等を備えている。また、入力装置１２は、撮影モード、終了モード、再生モード等のデジタルカメラ１０の動作モードを切り替えるモード切替スイッチを備え、撮影者による各キー操作やスイッチ操作に応じた操作信号をＣＰＵ１１に出力する。更に、入力装置１２は、ピント調節対象となった被写体の拡大表示を指示するための確認キーを備え、撮影者による確認キーの操作に応じた操作信号をＣＰＵ１１に出力する。なお、シャッターキーは、半押し状態と全押し状態の２段階スイッチとなっている。シャッターキーが全押しされると、撮影の指示命令がＣＰＵ１１に出力される（シャッター手段）。
【００１９】
ＲＡＭ１３は、ＣＰＵ１１によって実行される各種プログラム及びこれらプログラムに係るデータを一時的に記憶するワークエリアを形成する。また、ＲＡＭ１３は、特徴点情報ＲＡＭ１３１、ピント位置情報ＲＡＭ１３２、最終ピント位置画像ＲＡＭ１３３を形成する。
【００２０】
伝送制御部１４は、通信用ケーブル等により外部の電子機器、例えば、パーソナルコンピュータ等と接続され、画像データ等の送受信を制御する。なお、外部機器との接続は、赤外線や無線等の無線接続であってもよい。
【００２１】
表示装置１５は、ＬＣＤ（Liquid Crystal Display）等のモニタにより構成され、ＣＰＵ１１から入力される表示信号の指示に従って、撮影しようとする画像及び撮影された画像等を表示画面上に表示する。
【００２２】
図２は、撮像装置１６の詳細構成を示す図である。撮像装置１６は、被写体の光学画像を電気信号に変換して画像データを取得する画像取得手段としての機能を有する。ここで、図２を参照して撮像装置１６について説明する。
【００２３】
撮像レンズ２１を通過した被写体像は、絞り機構２２を介して撮像素子としてのＣＣＤ（Charge Coupled Device）２３上に結像される。撮像レンズ２１及び絞り機構２２は、光学系駆動部２４によって、焦点調節（ピント調節）のためにレンズ位置が移動され、また、適切な露出となるように絞り量が制御される。この撮像レンズ２１の移動や絞り機構２２の絞りは、測距センサや光量センサを含むセンサ部２５によって検出された検出値がバス１８を介してＣＰＵ１１に出力され、ＣＰＵ１１で検出値に基づいて演算された撮像レンズ２１の移動量や絞り機構２２の絞り量を示す信号が光学系駆動部２４に出力されることによって駆動がなされるものである。
【００２４】
ＣＣＤ２３に被写体が結像されると、ＣＣＤ２３には入射光量に応じた電荷が蓄積され、この電荷は駆動回路２６から与えられる駆動パルス信号によって電圧信号として順次読み出され、アナログ処理回路２７に出力される。アナログ処理回路２７では、色分離やゲイン調整、ホワイトバランス等の各種処理が行われ、処理された信号はＡ／Ｄ変換回路２８を介してデジタル画像データ（以下、画像データという。）としてバッファレジスタ２９に記憶される。
【００２５】
バッファレジスタ２９に記憶された画像データは、ＣＰＵ１１からの制御信号に基づいて、信号処理回路３０において輝度信号及び色差信号に変換され、表示装置１５に表示される。また、信号処理回路３０において処理された画像データは、ＣＰＵ１１からの制御信号に基づいて、圧縮伸張回路３１において圧縮され、バス１８を介して図１に示す記録装置１７の撮影画像記録領域１７１に記録される。
【００２６】
図１に戻り、記録装置１７は、フラッシュメモリ等の不揮発メモリ等により構成され、デジタルカメラ１０に対応するシステムプログラム、及び該システムプログラム上で実行可能なメイン処理プログラム、撮影モード処理プログラムを始めとする各種処理プログラム、アプリケーションプログラム及びこれらのプログラムで処理されたデータ等を記録する。また、記録装置１７は、撮影された画像データを記録するための撮影画像記録領域１７１を有する。
【００２７】
次に、動作について説明する。
図３は、デジタルカメラ１０のＣＰＵ１１により実行されるメイン処理を示すフローチャートである。当該処理は、入力装置１２の電源キーの操作により電源がＯＮされた際にＣＰＵ１１と記録装置１７に記憶されているメイン処理プログラムとの協働によるソフトウエア処理により実現される処理である。
【００２８】
まず、現在の動作モードが解析される（ステップＳ１）。現在の動作モードが、撮影モードである場合（ステップＳ２；ＹＥＳ）、図４に示す撮影モード処理が実行される（ステップＳ３）。撮影モード処理については、詳細を後述する。入力装置１２のモード切替スイッチの操作等によりモード切替が指示されるまで撮影モード処理が実行され、モード切替が指示されると（ステップＳ４；ＹＥＳ）、処理はステップＳ１に戻る。
【００２９】
ステップＳ２において、現在の動作モードが撮影モードではないと判断されると、動作モードが終了モードであるか否かが判断され、現在の動作モードが終了モードではないと判断されると（ステップＳ５；ＮＯ）、現在の動作モードに応じた処理が実行される（ステップＳ６）。例えば、現在の動作モードが再生モードである場合、表示画面上に記録装置１７の撮影画像記録領域１７１に記録されている画像一覧が表示され、画像一覧から選択された撮影画像が再生表示される。入力装置１２のモード切替スイッチの操作等によりモード切替が指示されるまで動作モードに応じた処理が実行され、入力装置１２のモード切替スイッチの操作等によりモード切替が指示されると（ステップＳ７；ＹＥＳ）、処理はステップＳ１に戻る。
【００３０】
ステップＳ５において、現在の動作モードが終了モードであると判断された場合（ステップＳ５；ＹＥＳ）、本処理は終了する。
【００３１】
図４は、図３のステップＳ３において、デジタルカメラ１０のＣＰＵ１１により実行される撮影モード処理を示すフローチャートである。当該処理は、ＣＰＵ１１と記録装置１７に記憶されている撮影モード処理プログラムとの協働によるソフトウエア処理により実現される処理である。当該処理の実行により、ピント調節手段、特徴点抽出手段、被写体位置特定手段、拡大表示手段及び画像記録手段が実現される。
【００３２】
まず、撮像装置１６の各部が初期化される（ステップＳ１１）。次いで、撮像装置１６が制御され、所定時間毎に画像データの取り込み（取得）が開始され、取り込まれた画像がピント調節エリア枠Ｒ（図５（ａ）参照）とともに表示装置１５にプレビュー表示される（ステップＳ１２）。即ち、ＣＣＤ２３において撮像レンズ２１及び絞り機構２２を透過して結像された被写体光が光電変換されて電荷が蓄積され、駆動回路２６から所定時間毎に与えられる駆動パルス信号によって蓄積された電荷が電圧信号として順次読み出される。読み出された電圧信号は、アナログ処理回路２７及びＡ／Ｄ変換回路２８を介して画像データに変換され、バッファレジスタ２９に取り込まれる。そして、表示装置１５の表示画面上にピント調節エリア枠Ｒとともに表示される。以下、撮影待機状態において、撮像装置１６から取り込まれた画像をピント調節エリア枠Ｒとともに撮影の参照用に表示装置１５に表示することをプレビュー表示という。
【００３３】
図５（ａ）に、ステップＳ１２において表示装置１５に表示されるプレビュー表示画面の一例を示す。ピント調節エリア枠Ｒは、ピント調節対象の被写体（ピント調節対象被写体）を配置するエリアを示す枠であり、デジタルカメラ１０においては、シャッターキーが半押しされると、ピント調節エリア枠Ｒ内に表示された被写体に対して焦点を合わせるようピント調節が行われる。  
【００３４】
プレビュー表示状態において、入力装置１２の確認キーの状態が判断され、確認キーが押下状態であると判断されると（ステップＳ１３；押下）、処理はステップＳ２９に移行する。確認キーが開放状態であると判断されると（ステップＳ１３；開放）、モード切替スイッチの操作が検出されたか否かが判断され、モード切替スイッチの操作が検出されたと判断された場合（ステップＳ１４；ＹＥＳ）、処理は図３のステップＳ１に戻る。モード切替スイッチの操作が検出されていないと判断された場合（ステップＳ１４；ＮＯ）、シャッターキーの状態が判断され、シャッターキーが開放状態であると判断されると（ステップＳ１５；開放）、処理はステップＳ１２に戻る。
【００３５】
ステップＳ１５において、シャッターキーが半押し状態であると判断されると（ステップＳ１５；半押し）、上述のピント調節エリア（図５のピント調節エリア枠Ｒ内の領域）に焦点が合うようにピント調節が行われる（ステップＳ１６）。具体的には、撮像レンズ２１をデジタルカメラ１０の光軸方向に移動させながら、撮像装置１６から取り込まれた画像データにおけるピント調節エリアのコントラストを検出し、そのコントラストが最大となる位置にレンズ位置が調節される。このピント調節された焦点位置は、シャッターキーが開放されるまで固定される。
【００３６】
次いで、ピント調節に使用した画像データのピント調節エリア内の画像データからピント調節対象被写体の特徴点抽出が行われる（ステップＳ１７）。図６に、ステップＳ１７の処理を模式的に示す。ピント調節対象被写体の特徴点の抽出は、例えば、ピント調節エリア内の画像データからエッジ検出処理が行われ、検出されたエッジから被写体の輪郭の特徴となる特徴点が抽出されることにより行われる。抽出された特徴点情報は、ＲＡＭ１３の特徴点情報ＲＡＭ１３１に保存される（ステップＳ１８）。特徴点情報ＲＡＭ１３１に既に特徴点情報が保存されている場合、新たな特徴点情報に更新される。
【００３７】
次いで、撮像装置１６から新たに画像データが取り込まれると、表示装置１５に取り込まれた画像データがプレビュー表示される（ステップＳ１９）。また、特徴点情報ＲＡＭ１３１から特徴点情報が読み出され、読み出された特徴点情報に基づいて、撮像装置１６から取り込まれた画像データにおいてピント調節対象となったピント調節対象被写体の位置（以下、ピント位置という）が特定され（ステップＳ２０）、特定されたピント位置の位置情報がピント位置情報ＲＡＭ１３２に保存されるとともに（ステップＳ２１）、図５（ｂ）に示すように、ピント位置を識別可能に（例えば、ピント位置に矩形マーカを重畳して）取り込まれた画像データが表示装置１５にプレビュー表示される（ステップＳ２２）。
【００３８】
ピント位置の特定は、例えば、パターンマッチングにより行うことができる。例えば、特徴点情報ＲＡＭ１３１から読み出された特徴点情報に基づき、ピント調節対象被写体の輪郭パターンを作成し、取り込まれた画像データに対しこの輪郭パターンを１画素ずつ移動させ、取り込まれた画像データにおいて、最も輪郭パターンとの差が少なくなった画像の位置がピント位置と特定される。なお、ピント位置情報ＲＡＭ１３２に既に前の画像データにおけるピント位置情報が記憶されている場合、新たなピント位置情報に更新される。
【００３９】
次いで、確認キーの状態が判断され、確認キーが押下状態であると判断されると（ステップＳ２３；押下）、ピント位置情報ＲＡＭ１３２からピント位置情報が読み出され、取り込まれた画像データにおけるピント位置の画像が表示画面中央に所定の倍率で拡大表示される（ステップＳ２４）。ピント位置の画像は、画面サイズとなるように拡大表示されることが好ましい。図５（ｃ）に、ステップＳ２４において表示されるピント位置の拡大表示例を示す。確認キーの押下という簡単な操作で、撮像装置１６から取り込まれた画像データにおけるピント位置の画像が拡大表示されるので、撮影者は、撮影前に、ピント調節対象の被写体部分の画質を容易に確認することが可能となる。
【００４０】
ステップＳ２３において、確認キーが開放状態であると判断されると（ステップＳ２３；開放）、シャッターキーの状態が判断され、シャッターキーが開放されたと判断されると（ステップＳ２５；開放）、処理はステップＳ１２に戻る。シャッターキーが半押し状態であると判断されると（ステップＳ２５；半押し）、処理はステップＳ１９に戻る。シャッターキーが全押しされたと判断されると（ステップＳ２５；全押し）、撮影が行われ、撮影画像の画像データが記録装置１７の撮影画像記録領域１７１に記録される（ステップＳ２６）。また、撮影画像の画像データからピント位置が特定され（ステップＳ２７）、撮影画像における最終的なピント位置の画像データが切り出され、切り出されたピント位置画像（最終ピント位置画像という。）の画像データが最終ピント位置画像ＲＡＭ１３３に記憶され（ステップＳ２８）、処理は図３のステップＳ４に移行する。なお、最終ピント位置画像ＲＡＭ１３３に既に前の撮影画像データにおける最終ピント位置画像が記憶されている場合、新たな最終ピント位置画像に更新される。
【００４１】
一方、ステップＳ１３において、確認キーが押下状態であると判断されると（ステップＳ１３；ＮＯ）、最終ピント位置画像ＲＡＭ１３３から最終ピント位置画像の画像データが読み出され、表示装置１５の表示画面中央に所定の倍率で拡大表示される（ステップＳ２９）。最終ピント位置画像は、画面サイズとなるように拡大表示されることが好ましい。ここで表示される拡大表示は、図５（ｃ）に示すのと同様な表示となる。
【００４２】
確認キーが押下されている間、前回の撮影の最終ピント位置画像が拡大表示され、確認キーが開放状態となったと判断されると（ステップＳ３０；開放）、処理はステップＳ１２のプレビュー表示状態に戻る。
【００４３】
即ち、シャッターキーが押下されていない状態で、プレビュー表示中に確認キーが押下されると、前回の撮影の最終ピント位置画像が拡大表示され、確認キーが開放されると、プレビュー表示に戻るので、再生モードへ移行することなく、簡単な操作で、前回の撮影画像においてピント調節対象の被写体部分の画質を確認することが可能となる。
【００４４】
以上説明したように、実施形態１におけるデジタルカメラ１０によれば、シャッターキーが半押しされると、撮像装置１６により取り込まれた画像データのピント調節エリア枠Ｒ内の領域に基づいてピント調節が行われ、ピント調節に使用した画像データからピント調節対象被写体の特徴点情報が抽出される。ピント調節後に撮像装置１６から画像データが取り込まれると、抽出された特徴点情報に基づいて、取り込まれた画像データからピント調節対象被写体の位置が特定され、確認キーが押下されると、ピント調節対象被写体の位置として特定された位置の画像が表示装置１５の表示画面上に拡大表示される。
【００４５】
また、シャッターキーの全押しに応じて撮影画像データが取り込まれると、撮影画像データからピント調節対象被写体の位置が特定されて切り出され、切り出された画像データ（最終ピント位置画像の画像データ）が最終ピント位置画像ＲＡＭ１３３に保存され、次回の撮影のシャッター操作前のプレビュー表示状態において確認キーが押下されると、最終ピント位置画像ＲＡＭ１３３に保存された最終ピント位置画像が読み出されて拡大表示される。
【００４６】
従って、ピント調節後に撮像装置１６により取り込まれる画像データ及び撮影画像データにおいて、ピント調節時からピント調節対象の被写体の位置が変化しても当該被写体の位置を特定して、確認キーの押下に応じて拡大表示することができるので、撮影前或いは撮影後に、ピント調節対象被写体の画像がピントズレを起こしていないか等、ピント調節被写体の画質を容易に確認することが可能となる。
【００４７】
（実施形態２）
次に、本発明の実施形態２について説明する。
実施形態２においては、図３で説明したメイン処理のステップＳ３において実行される撮影モード処理が実施形態１で説明したものと異なる。実施形態２におけるデジタルカメラ１０の構成は図１、２で説明したものと略同様であるが、記録装置１７に実施形態２における撮影モード処理(以下、撮影モード処理Ｂとする)を実行するための撮影モード処理Ｂプログラムが記憶されている。また、ＲＡＭ１３には、特徴点情報ＲＡＭ１３１、ピント位置情報ＲＡＭ１３２、最終ピント位置画像ＲＡＭ１３３のほか、図７に示すように、類似画像位置情報ＲＡＭ１３４、最終類似画像ＲＡＭ１３５を形成する。また、入力装置１２は、被写体設定キー、次候補キーを有する。その他の構成は、図１、２で説明したものと同様であるので説明を省略する。また、デジタルカメラ１０において電源ＯＮ時に実行されるメイン処理は図３で説明したのと同様であるので説明を省略する。以下、実施形態２における撮影モード処理Ｂについて説明する。
【００４８】
図８、９は、図３のステップＳ３において、デジタルカメラ１０のＣＰＵ１１により実行される撮影モード処理Ｂを示すフローチャートである。当該処理は、ＣＰＵ１１と記録装置１７に記憶されている撮影モード処理Ｂプログラムとの協働によるソフトウエア処理により実現される処理である。当該処理の実行により、設定手段、ピント調節手段、特徴点抽出手段、被写体位置特定手段、拡大表示手段及び画像記録手段が実現される。
【００４９】
まず、撮像装置１６の各部が初期化される（ステップＳ４１）。次いで、撮像装置１６が制御され、所定時間毎に画像データの取り込みが開始され、取り込まれた画像がピント調節エリア枠Ｒ（図１０（ａ）参照）とともに表示装置１５にプレビュー表示される（ステップＳ４２）。
【００５０】
図１０（ａ）に、ステップＳ４２において表示装置１５に表示されるプレビュー表示画面の一例を示す。ピント調節エリア枠Ｒは、ピント調節対象となる被写体を配置するエリアを示す枠であり、デジタルカメラ１０においては、シャッターキーが半押しされると、ピント調節エリア枠Ｒ内に表示された被写体に対して焦点を合わせるようピント調節が行われる。  
【００５１】
プレビュー表示状態において、入力装置１２の被写体設定キーの状態が判断され、被写体設定キーが押下状態であると判断されると（ステップＳ４３；押下）、表示装置１５に図示しない被写体設定画面が表示され、入力装置１２の被写体設定画面上における操作により撮影対象シーンのうち注目する被写体、即ち、ピント調節対象被写体及びこれと類似する被写体の種類（例えば、人物の顔、風景、物体等）が設定されると（ステップＳ４４）、処理はステップＳ４２に戻る。
【００５２】
プレビュー表示状態において、入力装置１２の被写体設定キーが開放状態であると判断されると（ステップＳ４３；開放）、確認キーの状態が判断され、確認キーが押下状態であると判断されると（ステップＳ４５；押下）、処理はステップＳ７０に移行する。確認キーが開放状態であると判断されると（ステップＳ４５；開放）、モード切替スイッチの操作が検出されたか否かが判断され、モード切替スイッチの操作が検出されたと判断された場合（ステップＳ４６；ＹＥＳ）、処理は図３のステップＳ１に戻る。モード切替スイッチの操作が検出されていないと判断された場合（ステップＳ４６；ＮＯ）、シャッターキーの状態が判断され、シャッターキーが開放状態であると判断されると（ステップＳ４７；開放）、処理はステップＳ４２に戻る。
【００５３】
ステップＳ４７において、シャッターキーが半押し状態であると判断されると（ステップＳ４７；半押し）、上述のピント調節エリア（図１０（ａ）のピント調節エリア枠Ｒ内の領域）に焦点が合うようにピント調節が行われる（ステップＳ４８）。具体的には、撮像レンズ２１をデジタルカメラ１０の光軸方向に移動させながら撮像装置１６から取り込まれた画像データにおけるピント調節エリアのコントラストを検出し、そのコントラストが最大となる位置にレンズ位置が調節される。このピント調節された焦点位置は、シャッターキーが開放されるまで固定される。
【００５４】
次いで、ピント調節に使用した画像データのピント調節エリア内の画像データからピント調節対象被写体の特徴点抽出が行われる（ステップＳ４９）。ピント調節対象被写体の特徴点の抽出は、例えば、ピント調節エリア内の画像データからエッジ検出処理が行われ、検出されたエッジから被写体の輪郭の特徴となる特徴点が抽出される。ここで、特徴点の抽出において、設定された被写体の種類が参照され、設定された被写体の種類に基づき特徴点が抽出されることにより行われる。例えば、注目被写体の種類が人物の顔であると設定されている場合、ピント調節エリア内の検出されたエッジで区切られる領域のうち、肌色、かつ円形状又は楕円形状の領域で、目、鼻、口の形状が認識される領域が被写体領域と認識され、この認識された領域のエッジから被写体の輪郭の特徴となる特徴点が抽出される。抽出された特徴点情報は、ＲＡＭ１３の特徴点情報ＲＡＭ１３１に保存される（ステップＳ５０）。特徴点情報ＲＡＭ１３１に既に特徴点情報が保存されている場合、新たな特徴点情報に更新される。
【００５５】
次いで、撮像装置１６から新たに画像データが取り込まれると、表示装置１５に取り込まれた画像がプレビュー表示される（ステップＳ５１）。また、特徴点情報ＲＡＭ１３１から特徴点情報が読み出され、読み出された特徴点情報に基づいて、撮像装置１６から取り込まれた画像データにおいてピント調節対象となったピント調節対象被写体の位置（即ち、ピント位置）が特定され（ステップＳ５２）、特定されたピント位置の位置情報がデータＰ０としてピント位置情報ＲＡＭ１３２に保存される（ステップＳ５３）。ピント位置の特定は、例えば、実施形態１で説明したのと同様の方法により行うことができる。ピント位置情報ＲＡＭ１３２に既にピント位置情報が記憶されている場合、新たなデータＰ０に更新される。更に、ステップＳ４４において設定された被写体の種類及び特徴点情報に基づいて、撮像装置１６から取り込まれた画像データにおいてピント調節対象の被写体に類似する被写体の画像（以下、類似画像という）の位置が特定され（ステップＳ５４）、特定された位置情報（類似画像位置情報）がデータＰ１〜Ｐｎ（ｎは正の整数）として類似画像位置情報ＲＡＭ１３４に保存される（ステップＳ５５）。類似画像位置情報ＲＡＭ１３４に既に位置情報が記憶されている場合、新たなデータＰ１〜Ｐｎに更新される。類似画像位置の特定は、例えば、注目被写体の種類が顔であると設定されている場合、取り込まれた画像データから、肌色、かつ円形状又は楕円形状の領域で、目、鼻、口の形状が認識される領域が顔領域として抽出され、ピント位置の特徴点情報から特定される顔領域のサイズが取得され、このサイズと略同様のサイズの顔領域（例えば、特徴点情報から特定される顔領域との画素数の差が所定数以内の顔領域）の位置が類似画像位置として特定される。そして、図１０（ｂ）に示すように、プレビュー表示画面上に、ピント位置及び類似画像位置が識別可能に（例えば、ピント位置と類似画像位置に色違い又は異なる線種の矩形マーカを重畳して）表示される（ステップＳ５６）。
【００５６】
次いで、確認キーが押下されたか否かが判断され、確認キーが押下されず開放状態であると判断されると（ステップＳ５７；開放）、処理はステップＳ６４に移行する。確認キーが押下されたと判断されると（ステップＳ５７；押下）、カウンタｍが０に初期化され（ステップＳ５８）、ピント位置情報ＲＡＭ１３２からデータＰ０としてのピント位置情報が読み出され、取り込まれた画像データにおけるピント位置の画像が表示画面中央に所定の倍率で拡大表示される（ステップＳ５９）。
【００５７】
図１０（ｃ）に、ステップＳ５９において表示されるピント位置画像の拡大表示例を示す。  確認キーの押下という簡単な操作で、撮像装置１６から取り込まれた画像データにおけるピント位置の画像を拡大表示することができるので、撮影者は、撮影前に、ピント調節対象被写体部分の画質を容易に確認することが可能となる。ピント位置の画像は、画面サイズとなるように拡大表示されることが好ましい。
【００５８】
次いで、次候補キーが押下されたか否かが判断され、次候補キーが押下されたと判断されると（ステップＳ６０；押下）、カウンタｍ≧ｎであるか否かが判断され、ｍ≧ｎではないと判断されると（ステップＳ６１；ＮＯ）、カウンタｍが１インクリメントされ（ステップＳ６２）、処理はステップＳ５９に戻り、類似画像位置情報ＲＡＭ１３４からデータＰｍとしての類似画像位置情報が読み出され、取り込まれた画像データにおけるデータＰｍの類似画像位置の画像が表示画面中央に所定の倍率で拡大表示される。類似画像位置の画像は、画面サイズとなるように拡大表示されることが好ましい。カウンタｍ≧ｎであると判断されると（ステップＳ６１；ＹＥＳ）、処理はステップＳ５８に戻り、カウンタｍが０にリセットされ、ピント位置画像が拡大表示される。次候補キーが押下されず、開放状態であると判断されると（ステップＳ６０；開放）、確認キーが押下されたか否かが判断され、確認キーが押下されず、開放状態であると判断されると（ステップＳ６３；開放）、処理はステップＳ５９に戻る。確認キーが押下されたと判断されると（ステップＳ６３；押下）、処理はステップＳ５１に戻り、新たに取り込まれた取り込み画像について、ステップＳ５１以降の処理が実行される。
【００５９】
ステップＳ６４においては、シャッターキーの状態が判断され、シャッターキーが開放されたと判断されると（ステップＳ６４；開放）、処理はステップＳ４２に戻る。シャッターキーが半押し状態であると判断されると（ステップＳ６４；半押し）、処理はステップＳ５１に戻る。シャッターキーが全押しされたと判断されると（ステップＳ６４；全押し）、撮影が行われ、撮影画像の画像データが記録装置１７の撮影画像記録領域１７１に記録される（ステップＳ６５）。また、撮影画像の画像データからピント位置が特定され（ステップＳ６６）、撮影画像からピント位置の画像データが切り出され、切り出されたピント位置画像（最終ピント位置画像）の画像データがデータＧ０として最終ピント位置画像ＲＡＭ１３３に記憶される（ステップＳ６７）。なお、最終ピント位置画像ＲＡＭ１３３に既に画像データが記憶されている場合、新たなデータＧ０に更新される。更に、撮影画像から類似画像位置が特定され（ステップＳ６８）、撮影画像から類似画像位置の画像データが切り出され、切り出された画像データ（最終類似画像の画像データ）がデータＧ１〜ＧＮ（Ｎは正の整数）として最終類似画像ＲＡＭ１３５に保存され（ステップＳ６９）、処理は図３のステップＳ４に移行する。最終類似画像ＲＡＭ１３５に既に画像データが記憶されている場合、新たなデータＧ１〜ＧＮに更新される。
【００６０】
一方、ステップＳ４５において、確認キーが押下されたと判断されると（ステップＳ４５；押下）、カウンタｍが０に初期化され（ステップＳ７０）、最終ピント位置画像ＲＡＭ１３３から前回の撮影時に取得された最終ピント位置画像の画像データＧ０が読み出され、表示装置１５の表示画面中央に所定の倍率で拡大表示される（ステップＳ７１）。
【００６１】
次いで、次候補キーが押下されたか否かが判断され、次候補キーが押下されたと判断されると（ステップＳ７２；押下）、カウンタｍ≧Ｎであるか否かが判断され、ｍ＞Ｎではないと判断されると（ステップＳ７３；ＮＯ）、カウンタｍが１インクリメントされ（ステップＳ７４）、処理はステップＳ７１に移行し、最終類似画像ＲＡＭ１３５からデータＧｍとしての類似画像が読み出され、表示画面中央に所定の倍率で拡大表示される。カウンタｍ≧Ｎであると判断されると（ステップＳ７３；ＹＥＳ）、処理はステップＳ７０に戻り、カウンタｍが０にリセットされ、ピント位置画像が拡大表示される。次候補キーが押下されず、開放状態であると判断されると（ステップＳ７２；開放）、確認キーが押下されたか否かが判断され、確認キーが押下されず、開放状態であると判断されると（ステップＳ７５；開放）、処理はステップＳ７１に戻る。確認キーが押下されたと判断されると（ステップＳ７５；押下）、処理はステップＳ４２のプレビュー表示状態に戻る。
【００６２】
以上説明したように、実施形態２におけるデジタルカメラ１０によれば、注目する被写体の種類が設定され、シャッターキーが半押しされると、撮像装置１６により取り込まれた画像データのピント調節エリア枠Ｒ内の画像に基づいてピント調節が行われ、ピント調節に使用した画像データからピント調節対象の被写体の特徴点情報が抽出される。ピント調節後に撮像装置１６から画像データが取り込まれると、抽出された特徴点情報及び設定された注目被写体の種類に基づいて、取り込まれた画像データからピント調節対象被写体及びこれに類似する被写体の位置（類似画像位置）が特定され、確認キーが押下されると、ピント調節対象被写体の位置として特定された位置の画像が表示装置１５の表示画面上に拡大表示され、続いて次候補キーが押下されると、類似画像位置として特定された位置の画像が順次表示装置１５の表示画面上に拡大表示される。
【００６３】
また、シャッターキーの全押しに応じて撮影画像データが取り込まれると、撮影画像データからピント調節対象被写体の位置が特定されて切り出され、最終ピント位置画像ＲＡＭ１３３に保存されるとともに、撮影画像データから類似画像位置が特定されて切り出され、最終類似画像ＲＡＭ１３５に保存され、次回の撮影のシャッター操作前のプレビュー表示状態において確認キーが押下されると、最終ピント位置画像ＲＡＭ１３３に保存された最終ピント位置画像が読み出されて拡大表示され、次候補キーが押下されると最終類似画像ＲＡＭ１３５に保存された類似画像が順次表示装置１５の表示画面上に拡大表示される。
【００６４】
従って、ピント調節後に撮像装置１６により取り込まれる画像データ及び撮影画像データにおいて、ピント調節時からピント調節対象被写体の位置が変化しても当該被写体の位置を特定して、確認キーの押下に応じて拡大表示することができるので、撮影者が撮影前或いは撮影後に、ピント調節対象被写体の画像がピントズレを起こしていないか等、ピント調節被写体の画像の画質を容易に確認することが可能となる。また、ピント調節対象被写体と類似する被写体の画像の画質についても容易に確認することが可能となる。例えば、集合写真を撮影する場合に、注目する被写体の種類として人物の顔を設定しておけば、ピント調節対象となった顔画像と類似するサイズの顔画像を順次拡大表示することができるので、集合写真の撮影対象になっていないにもかかわらず背景に含まれてしまった、ピント調節対象被写体とは全く顔のサイズの異なる人物を除いて、集合写真の撮影対象となった人物のそれぞれについて、ピントズレを起こしていないか、目をつぶっていないか等の画質を容易に確認することが可能となる。
【００６５】
なお、上記実施形態１、２における記述内容は、本発明に係るデジタルカメラ１０の好適な一例であり、これに限定されるものではない。
【００６６】
例えば、ピント調節被写体やこれに類似する被写体の画像は、位置情報として保存してもよいし、画像データから特定された位置の画像を切り出して保存してもよい。また、最終ピント位置画像及び最終類似画像の画像データは、記録装置１７に上書きせずに保存することとし、撮影時に確認したくなったときにいつでも確認できるようにしてもよい。
【００６７】
その他、デジタルカメラ１０の細部構成及び細部動作に関しても、本発明の趣旨を逸脱することのない範囲で適宜変更可能である。
【図面の簡単な説明】
【００６８】
【図１】本発明の実施形態１に係るデジタルカメラ１０の機能的構成を示すブロック図である。
【図２】図１の撮像装置１６の詳細構成を示す図である。
【図３】図１のＣＰＵ１１により実行されるメイン処理を示すフローチャートである。
【図４】図１のＣＰＵ１１により実行される撮影モード処理を示すフローチャートである。
【図５】実施形態１における表示例を示す図であり、（ａ）は、表示装置１５に表示されるプレビュー表示の一例を示す図、（ｂ）は、プレビュー表示において、ピント位置を識別可能に表示した例を示す図、（ｃ）は、ピント位置の拡大表示例を示す図である。
【図６】図４のステップＳ１７の処理を模式的に示す図である。
【図７】本発明の実施形態２に係るデジタルカメラ１０の機能的構成を示すブロック図である。
【図８】図１のＣＰＵ１１により実行される撮影モード処理Ｂを示すフローチャートである。
【図９】図１のＣＰＵ１１により実行される撮影モード処理Ｂを示すフローチャートである。
【図１０】実施形態２における表示例を示す図であり、（ａ）は、表示装置１５に表示されるプレビュー表示の一例を示す図、（ｂ）は、プレビュー表示において、ピント位置を識別可能に表示した例を示す図、（ｃ）は、ピント位置の拡大表示例を示す図である。
【符号の説明】
【００６９】
１０  デジタルカメラ
１１  ＣＰＵ
１２  入力装置
１３  ＲＡＭ
１３１  特徴点情報ＲＡＭ
１３２  ピント位置情報ＲＡＭ
１３３  最終ピント位置画像ＲＡＭ
１３４  類似画像位置情報ＲＡＭ
１３５  最終類似画像ＲＡＭ
１４  伝送制御部
１５  表示装置
１６  撮像装置
１７  記録装置
１７１  撮影画像記録領域
１８  バス
２１  撮像レンズ
２２  絞り機構
２３  ＣＣＤ
２４  光学系駆動部
２５  センサ部
２６  駆動回路
２７  アナログ処理回路
２８  Ａ／Ｄ変換回路
２９  バッファレジスタ
３０  信号処理回路
３１  圧縮伸張回路
【図１】
0004887840.tif 000002
【図２】
0004887840.tif 000003
【図３】
0004887840.tif 000004
【図４】
0004887840.tif 000005
【図５】
0004887840.tif 000006
【図６】
0004887840.tif 000007
【図７】
0004887840.tif 000008
【図８】
0004887840.tif 000009
【図９】
0004887840.tif 000010
【図１０】
0004887840.tif 000011